(57)【要約】【課題】  この発明は、乾式起毛と水中起毛との双方に使用できる起毛機を提供することを第１に課題とし、起毛のコストを低減することを第二の課題とするものである。【解決手段】  この発明の起毛機は、起毛される布帛を水に浸潰するための水槽１と、起毛ローラ４とを備えた起毛機において、前記起毛ローラ４を閉塞室７に配設し、前記閉塞室７の前壁９及び後壁９には起毛される布が通過する間隙１０を設け、前記閉塞室の下部側壁には開平蓋を有する排気口１１を設け、前記閉塞室の底部には排水口１３を設けて構成する。【選択図】 図１
2005097784.tif 000002
【特許請求の範囲】
【請求項１】
起毛される布帛を水に浸潰するための水槽と、起毛ローラとを備えた起毛機において、前記起毛ローラを閉塞室に配設し、
前記閉塞室の布帛導入側及び布帛排出側には起毛される布帛が通過する間隙を設け、
前記閉塞室の下部側壁には開閉蓋を有する排気口を設け、
前記閉塞室の底部には排水口を設けた、
起毛機
【請求項２】
起毛ローラは表面平滑なドラムとし、表面に起毛針布等の帯状起毛具を巻き付けて起毛するものとした、請求項１記載の起毛機
【請求項３】
帯状起毛具は、帯状の基部にワイヤを密集して植設したワイヤブラシとした、請求項２記載の起毛機
【発明の詳細な説明】
【技術分野】
【０００１】
この発明は、布帛に毛羽を形成する起毛機に関するものである。
【背景技術】
【０００２】
起毛の手法には、布帛の状態において、起毛される布帛を乾燥した状態で起毛加工を行う乾式起毛と、布帛に水分を供給して行う水中起毛（湿式起毛）とがある。
また、起毛の態様として、起毛針布を用いる手法、研磨材を用いる手法、ナイロンブラシを用いる手法がある。
【０００３】
乾式起毛においては、起毛処理により布帛からの切削かすが発生する。そして、切削かすを放置しておくと布帛に付着したり機械に堆積して作業の続行が不可能となるため、乾式起毛の起毛機には切削かすを吸引する装置を設ける必要がある。
他方水中起毛においては、起毛される布帛が湿潤しているので切削かすは布帛に付着したり起毛ロールに付着するので、ロールに水をシャワーリングする必要があり、その水を切削かすと共に排出してこれを回収することが必要である。
【０００４】
上記のように、乾式起毛機と水中起毛機とは要求される構成が異なることから、両者は別種の機械とされ、両者を兼用できるものは提案されていない。
【０００５】
起毛ローラには布帛を起毛するための手段が施される。そして、その手段としては起毛針布を用いるもの、研磨材を用いるもの、ナイロンブラシを用いるものがあるが、研磨材を用いるものは起毛ローラに研磨層を一体的に形成したものが一般的であり、ナイロンブラシを用いるものにおいても、ローラ本体にテグス状のナイロン素材に研磨材を練り込んだナイロンブラシを直接植設したものが用いられている。
【０００６】
そのために、研磨材やナイロンブラシによる起毛を行う場合、起毛ローラ自体を研磨層やナイロンブラシ付きのものに交換しなければならない。また研磨層の粗さを変更するときや研磨層やナイロンブラシが劣化した場合、起毛ローラごと交換しなければならず、極めて高価である上に交換作業が困難である。その結果、起毛コストの上昇につながっている。
【発明の開示】
【発明が解決しようとする課題】
【０００７】
この発明は、乾式起毛と水中起毛との双方に使用できる起毛機を提供することを第１に課題とし、起毛のコストを低減することを第二の課題とするものである。
【課題を解決するための手段】
【０００８】
この発明の起毛機は、起毛される布帛を水に浸潰するための水槽と、起毛ローラとを備えた起毛機において、前記起毛ローラを閉塞室に配設し、前記閉塞室の布帛導入側及び布帛排出側の壁には起毛される布が通過する間隙を設け、前記閉塞室の下部側壁には開平蓋を有する排気口を設け、前記閉塞室の底部には排水口を設けたものである。
前記起毛ローラの構成に制限はないが、起毛ローラは表面平滑なドラムとし、表面に起毛針布、研磨材、ナイロンブラシ等の起毛具を巻き付けて起毛するものとし（請求項２）、ナイロンブラシを用いる場合は、帯状の基部にテグス状のナイロンを密集して植設したナイロンブラシとすることが好ましい。
【発明の効果】
【０００９】
この発明によれば、起毛ローラを閉塞室に配設し排気口と排水口とを設けたので、乾式起毛を行うときは排気口を開きここから吸気しつつ起毛を行うことにより、起毛により発生する起毛かすを吸引し、作業上に拡散することを防止することができる。
また、水中起毛を行うときには、水は排水口から排出される。そして、このとき排気口は閉じるので水分が吸気口から吸引されることもない。
したがって、この発明の起毛機によれば、乾式起毛と水中起毛との双方を行うことができる。
【００１０】
請求項２，３の発明によれば、起毛ローラの胴にいかなる起毛用具を巻き付けるかにより、種種の方法による起毛を行うことができる。特に、請求項３の発明ではワイヤブラシを帯状に構成したので、起毛針布、研磨材、ナイロンブラシという３種類の起毛を同じ起毛機、同じ起毛ローラを用いて行うことができる。加えて、乾式・湿式両者に対応できるので、結局６種類の起毛処理を行うことができる。
加えて、ナイロンブラシが劣化したときにはナイロンブラシのみを交換することができ、従来の起毛ローラはそのまま使用できるので、ナイロンブラシの交換コストが軽減される。
【発明を実施するための最良の形態】
【００１１】
図において、布帛３１に水を含浸するための水槽１，布帛に含浸した余剰水を絞るための１対の絞りロール２，布帛３１を案内するためのガイドロール３，起毛ロール４，布帛３１を起毛ロール４方向へ押しつけるためのテンションロール５，が配設してあり、前記起毛ロール４に近接して布帛に水を吹き付けるシャワーノズル６が配設してある。
前記起毛ロール４は、表面平滑なドラムであって、表面に起毛針布、研磨材（研磨ペーパー、研磨布）又はナイロンブラシなどの研磨具を巻き付けて使用するものである。
研磨具として起毛針布や研磨材を使用した場合とナイロンブラシを使用した場合とでは研磨具を装着した状態での起毛ロールの直径が大きく変化するので、それに対応するために前記隣接する起毛ロール４の表面間の距離は２０センチ程度以上とし、前記テンションロール５は１５センチ程度移動できるようにしてある。
【００１２】
前記起毛ロール４とテンションロール５とは閉塞室７に配置してある。すなわち、起毛ロール４とテンションロール５の上方には上板８を取り付け、布帛導入側及び布帛排出側には側壁９を設けて、上板８と側壁９及び図１手前側及び後側の壁によって起毛ロールとテンションロールの周囲及び上部を囲い込んである。前記側壁９に布帛が通過するための間隙１０が形成してある。なお、閉塞室７の上部は必ずしも覆う必要はない。
前記側壁９の下部には排気口１１が設けてあり、排気口１１に吸引パイプが接続してある。そして、この排気口１１には開平可能な蓋１２が取り付けてある。また、前記閉塞室７の底には排水口１３が設けてある。
符号１４は布帛に付着した起毛かすを洗浄するための洗浄槽である。
【００１３】
図２はナイロンブラシ２１を示すものである。このナイロンブラシ２１は、基布２２にナイロン線材２３を基布２２の表面から７〜１５センチ程度突出させて密集させて植設して構成してある。
前記ナイロンブラシ２１は二つ折りして基布２２の裏面側から差し込まれ、折り返し部分には固定用の鉄線２４が配設してある。
【００１４】
上記実施形態に示す起毛機は以下のように全ての手法での起毛を行うことができる。
【００１５】
乾式起毛を行うときは、水槽１、洗浄槽１４を空にし、閉塞室７の排気口１１を開く。この状態で、起毛ローラ４に起毛針布、研磨材、ナイロンブラシなど適宜の起毛具を巻き付けて起毛を行う。
このとき、起毛処理は閉塞室７内で行われ、閉塞室７内の起毛かすは排気口１１から吸引されて外部へ排出されて処理されるので、起毛かすが閉塞室７に拡散することはなく、起毛機に付着することもない。
また、上記においては起毛ローラ４を表面平滑なドラムとして表面に起毛具を巻き付ける構造としたので、同じ起毛ローラを用いつつ、各種の起毛具を用いた起毛処理を行うことができる。ちなみに、ドラム表面に研磨層を一体的に形成したものにおいては、粗さの異なる研磨材を用いるごとに起毛ローラごと交換しなければならず、ドラム表面にナイロンブラシを直接植設したブラシローラを用いる場合も同様に交換しなければならず、起毛ローラを他と共用することはできない。
【００１６】
水中起毛を行うときは、水槽１に水を満たし、閉塞室７の排気口１１を蓋１２で閉じる。この状態で、起毛ローラ４に起毛針布、研磨材、ナイロンブラシなど適宜の起毛具を巻き付けて、必要によりシャワーノズル６から水を起毛ローラに向けて吹き付けつつ起毛を行う。
このとき、シャワーノズル６から噴き出された水は閉塞室７の底に設けられた排水口１３から排出される。
【００１７】
このように、この実施形態の起毛機においては、起毛ローラ４を交換することなく、針布起毛、研磨材起毛、ブラシ起毛の全てを、乾式起毛、水中起毛を問わず行うことができる。しかも、起毛ローラ４を交換することなく巻き付ける起毛具を交換するのみで針布の密度、研磨材の粗さ、ブラシの腰の強さなどを自由に変更することができる。
すなわち、あらゆる起毛条件に１台の起毛機で対応することができる。
【産業上の利用可能性】
【００１８】
この発明によれば、起毛ローラを閉塞室に配置し、閉塞室に排気口と排水口を設けたので、１台の起毛機のよって乾式起毛と水中起毛の双方に対応することができる。
また、起毛ローラを表面平滑なドラムとして表面に起毛針布などの帯状起毛具を巻き付ける構造とすることにより、起毛ローラを交換することなく各種の起毛手法により起毛処理を行うことができるなど、この発明は産業上利用可能性を有するものである。
【図面の簡単な説明】
【００１９】
【図１】この発明実施形態の概略図
【図２】この発明実施形態のブラシの断面図
【符号の説明】
【００２０】
１    水槽
２    絞りローラ
３    ガイドローラ
４    起毛ローラ
５    テンションローラ
６    シャワーノズル
７    閉塞室
８    シャッター
９    側壁
１０  間隙
１１  排気口
１２  蓋
１３  排水口
１４  洗浄槽
２１  ナイロンブラシ
２２  基布
２３  ナイロン線材
２４  鉄線
３１  布帛
【図１】
2005097784.tif 000003
【図２】
2005097784.tif 000004